(57)【要約】【課題】端子部カバーの製造コストを抑えることができる端子台を提供する。【解決手段】端子６，６を備えた端子部２と、端子部２の左右両側から、端子６，６の表面側に突出する一対の側壁３，４と、を有し、一対の側壁３，４の突出端部間に端子部２と対向するように端子部カバー５が架け渡される端子台１であって、一対の側壁３，４のそれぞれから対向する側壁３，４に向けて突出し、端子部カバー５の外表面に対向して配置される凸部２０と、凸部２０の両側となる部分に互いに隙間を確保して形成され、端子部カバー５の内表面に対向して配置される一対の台部２１，２２と、端子部カバー５の端部側面と対向して配置されるように側壁３，４に設けられた端面支持部２３とを備えている。【選択図】図５
2017199528.tif 000002
【特許請求の範囲】
【請求項１】
端子を備えた端子部と、該端子部の左右両側から、前記端子の表面側に突出する一対の側壁と、を有し、該一対の側壁の突出端部間に前記端子部と対向するように端子部カバーが架け渡される端子台であって、
前記一対の側壁のそれぞれから対向する側壁に向けて突出し、前記端子部カバーの外表面に対向して配置される凸部と、
前記凸部の両側となる部分に互いに隙間を確保して形成され、前記端子部カバーの内表面に対向して配置される一対の台部と、
前記端子部カバーの端部側面と対向して配置されるように前記側壁に設けられた端面支持部と、
を備えていることを特徴とする端子台。
【請求項２】
前記端子には、該端子を表裏に貫通するネジ穴が形成され、前記台部は、互いの前記隙間が、前記側壁に直交し前記ネジ穴の中心軸を含む面を避けた位置となるように前記側壁に形成されていることを特徴とする請求項１に記載の端子台。
【請求項３】
前記一対の台部の相互間に確保した前記隙間は、前記端子部に向けて漸次広がる部分を有することを特徴とする請求項１に記載の端子台。
【請求項４】
前記台部と前記凸部の間に前記端子部カバーが嵌め込まれている請求項１〜３の何れか１つに記載の端子台。
【発明の詳細な説明】
【技術分野】
【０００１】
本発明は、端子台に関するものである。
【背景技術】
【０００２】
従来の端子台として、回路遮断器に設けられた端子台がある。この端子台は、端子部と、端子部の左右両側に立設する一対の側壁とを備えている。一対の側壁間には、架け渡されるように端子部カバーが配設され端子部を覆うようになっている（たとえば特許文献１参照）。
【０００３】
一対の側壁の内側には第一凸部と第二凸部と逆Ｕ字溝とが形成されている。第一凸部は、端子部カバーを支持する部分である。第二凸部は、第一凸部より上方に形成され、端子部カバーが上方向に外れないようにしている。逆Ｕ字溝は、端子部カバーの左右両端部に形成された突起が係止される部分であり、端子部カバーが前面から脱落しないようにしている。
【先行技術文献】
【特許文献】
【０００４】
【特許文献１】特開２００１−２６６７３０号公報
【発明の概要】
【発明が解決しようとする課題】
【０００５】
しかし、このような端子台の場合、端子部カバーに逆Ｕ字溝に嵌る形状の突起を設けなければならず、端子部カバーの突起部分の寸法管理が大変であり、端子部カバーの製造にコストがかかるという問題があった。
【０００６】
本発明は、上記に鑑みてなされたものであって、端子部カバーの製造コストを抑えることができる端子台を提供することを目的とする。
【課題を解決するための手段】
【０００７】
上述した課題を解決し、目的を達成するために、本発明に係る端子台は、端子を備えた端子部と、該端子部の左右両側から、前記端子の表面側に突出する一対の側壁と、を有し、該一対の側壁の突出端部間に前記端子部と対向するように端子部カバーが架け渡される端子台であって、前記一対の側壁のそれぞれから対向する側壁に向けて突出し、前記端子部カバーの外表面に対向して配置される凸部と、前記凸部の両側となる部分に互いに隙間を確保して形成され、前記端子部カバーの内表面に対向して配置される一対の台部と、前記端子部カバーの端部側面と対向して配置されるように前記側壁に設けられた端面支持部と、を備えていることを特徴とする。
【０００８】
また、本発明に係る端子台において、前記端子には、該端子を表裏に貫通するネジ穴が形成され、前記台部は、互いの前記隙間が、前記側壁に直交し前記ネジ穴の中心軸を含む面を避けた位置となるように前記側壁に形成されているとよい。
【０００９】
また、本発明に係る端子台において、前記一対の台部の相互間に確保した前記隙間は、前記端子部に向けて漸次広がる部分を有するとよい。
【００１０】
また、本発明に係る端子台において、前記台部と前記凸部の間に前記端子部カバーが嵌め込まれているとよい。
【発明の効果】
【００１１】
これらの構成によれば、一対の台部と凸部によって、例えば突起を有さない矩形状の端子部カバーであっても好適に支持することができる。従って、端子部カバーの製造コストを削減できる。
【図面の簡単な説明】
【００１２】
【図１】図１は、本発明の実施形態に係る端子台を含む外付けＢＯＸを示した平面図である。
【図２】図２は、図１に示した外付けＢＯＸにおいて端子部カバーを取り付けた状態を示す平面図である。
【図３】図３は、図１に示した外付けＢＯＸを示す斜視図である。
【図４】図４は、図３に示した外付けＢＯＸにおいて端子部カバーを取り付けた状態を示す斜視図である。
【図５】図５は、図３に示した端子台の要部拡大斜視図である。
【図６】図６は、図１に示した端子台の平面図である。
【図７】図７は、図６に示した端子台のＡ−Ａ線断面図である。
【図８】図８は、図２に示した端子台のＢ−Ｂ線断面の要部を示す断面図である。
【図９】図９は、本発明の変形例に係る端子台の要部拡大斜視図である。
【発明を実施するための形態】
【００１３】
以下に添付図面を参照して、本発明に係る端子台の好適な実施形態について詳細に説明する。図１は、本発明の実施形態に係る端子台１を有する外付けＢＯＸ１０１の概要を示した平面図である。この外付けＢＯＸ１０１は、回路遮断器１０２とともに用いられるものである。外付けＢＯＸ１０１は、奥側と手前側が２段の階段状に形成されている。外付けＢＯＸ１０１の上段部には、操作スイッチ１０３が設けられている。外付けＢＯＸ１０１の手前側及び奥側の下段部には、それぞれ端子台１が設けられている。この２か所の端子台１は、同様の構成を有するので、本実施の形態においては手前側の端子台１について説明する。また、以下において便宜上、外付けＢＯＸ１０１の上段部側を上方、下段部側を下方として方向を特定することとする。
【００１４】
端子台１は、端子部２と、一対の側壁３，４とを有し、図２及び図４に示すように、一対の側壁３，４の突出端部間に端子部２と対向するように端子部カバー５が架け渡されるものである。本実施の形態で適用する端子部カバー５は、矩形の薄板状を成すものである。端子部２は、図１及び図６に示すように、側壁３，４の間に設けられた中央隔壁１０によって２つに区切られており、それぞれの上面に金属製で矩形状の端子６，６を備えている。端子６，６には、その表裏を貫通するネジ穴７が形成されている。これらの端子６，６には、角座金８を介して電線がネジ９により締め付けられるようにして配設される。
【００１５】
一対の側壁３，４は、図３及び図５に示すように、端子部２の左右両側から上方（端子の表面側）に向けて突出している。一対の側壁３，４の奥側端部間には、奥側壁１１が備えられている。奥側壁１１は、外付けＢＯＸ１０１の上段部との境界となるもので、一対の側壁３，４よりも高く形成されている。一対の側壁３，４には、それぞれ凸部２０と、第一台部２１及び第二台部２２と、端面支持部２３とが設けられている。
【００１６】
凸部２０は、端子部カバー５の両端部上面（外表面）に対向して配置されるもので、一対の側壁３，４の上端部に形成され、それぞれの側壁３，４から対向する側壁３，４に向けて突出している。凸部２０の上端面５１は、突出端に向けて漸次下方となるように斜めに形成されている。図からも明らかなように、凸部２０は、ネジ穴７の中心軸を含み、かつ側壁３，４に直交する面に対して奥側壁１１に片寄せた位置に形成されている。
【００１７】
第一台部２１及び第二台部２２は、凸部２０の手前側及び奥側となる部分に互いに隙間５２を確保して形成されている。第一台部２１及び第二台部２２は、その間の隙間５２が、側壁３，４に直交しネジ穴７の中心軸を含む面を避けた位置となるように側壁３，４に形成されている。これら第一台部２１及び第二台部２２の上端となる支持面３０，３１は、端子部カバー５の両端部下面（内表面）が載置される部分であり、互いに同一の平面上に位置し、かつ中央隔壁１０の上端面３２と略同一の平面上となるように形成されている。
【００１８】
側壁３，４の手前側に設けた第一台部２１は、奥行きに沿った幅がほぼ一定となるように形成されている。これに対して側壁３，４の奥側に設けた第二台部２２は、第一台部２１に対向する面５３が下方に向けて漸次奥方に傾斜しており、側壁３，４の途中までしか形成されていない。すなわち、第一台部２１と第二台部２２との隙間５２は、下方に向けて漸次広がった後、第一台部２１と奥側壁１１との隙間５２となって一定の寸法となっている。
【００１９】
端面支持部２３は、端子部カバー５の両端部側面に対向して配置されるもので、第一台部２１の支持面３０において手前側に位置する部分から上方に向けて突出している。
【００２０】
このように構成されている端子台１に端子部カバー５を取り付ける場合には、一方の側壁３の第一台部２１及び第二台部２２と凸部２０の間に端子部カバー５の端部を挿入し、その後に、端子部カバー５を撓ませて、もう一方の側壁４の第一台部２１及び第二台部２２と凸部２０の間に端子部カバー５を挿入すれば、端子部カバー５を側壁３，４の上端部間に架け渡すように配設することができる。すなわち、下面を介して第一台部２１及び第二台部２２に載置された端子部カバー５は、上面に凸部２０が対向して配置されるとともに、手前側の側面に端面支持部２３が対向して配置され、さらに奥側の側面に奥側壁１１が対向することになり、側壁３，４の間に脱落することなく支持されることになり、端子部２の上方域を覆うことが可能となる。上述したように、外付けＢＯＸ１０１の端子部２を覆う端子部カバー５は、単に矩形の平板状を成すものであり、両側端面に凸部を設けてない。よって、端子部カバー５の製造コストを削減できる。しかも、この端子台１においては、第一台部２１及び第二台部２２によって端子部カバー５の４つの隅部を支持するように構成しているので、図８に示すように、端子部カバー５が大きく傾いてしまうおそれがなく、側壁３，４から脱落することを防止できる。
【００２１】
また、この端子台１においては、第一台部２１及び第二台部２２が凸部２０の両側に互いに隙間５２を確保するように設けられている。この隙間５２は、側壁３，４の下端まで連続するように設けられているものであり、しかも下方に向けて寸法が減少する部分を有していない。従って、金型によって端子台１を樹脂成型する際には、所謂アンダーカット処理をする必要がなく、端子台１を低コストで製造できる。特に、本実施の形態の場合には、第一台部２１及び第二台部２２の隙間５２が下方に向けて漸次広くなる部分を有しているため、樹脂成型する際に、金型の幅を下方部分で大きくすることができ、金型の強度を確保することができる。
【００２２】
さらに、凸部２０がネジ穴７の中心軸を含み、かつ側壁３，４に直交する面に対して奥側壁１１に偏った位置に形成されているため、換言すれば、第一台部２１及び第二台部２２の隙間５２が奥側に片寄せて配置されており、即ち、隙間５２が、側壁に直交しネジ穴の中心軸を含む面を避けた位置に配置されているため、角座金８を使用して電線を端子６，６に取り付ける際に、角座金８の角が第一台部２１及び第二台部２２の隙間５２に嵌ることを防止できる。角座金８の角が第一台部２１及び第二台部２２の間の隙間５２に嵌った状態でネジ９を締め付けた場合には、ネジ９や、ネジ９に嵌められるナットが破損したり、電線の端子６，６に対する接圧が不足するおそれがあるが、本実施の形態の端子台によれば、これらの問題を招来することがない。
【００２３】
尚、本実施の形態においては、一対の台部２１，２２の上面は、中央隔壁１０の上端面と略同一平面上に形成されているが、中央隔壁１０の方が低く形成されていてもよい。本実施の形態においては、凸部２０は、側壁において、奥側に片寄せて形成されているが、手前側に片寄せて形成してもよい。
【００２４】
さらに、図９の変形例に示すように、端子台４０は、側壁４１，４２の真中に隙間５４が配置されるように台部４３，４４が配置されてもよい。この変形例においても、端子部カバー５の上面は、凸部４５で支持することができ、端子部カバー５の下面は一対の台部４３，４４で支持することができる。従って、突起を設けない矩形状の端子部カバー５を使用することができ、端子部カバー５の製造コストを削減できる。また、一対の台部４３，４４間の隙間５４は、側壁４１，４２の下端まで連続しており、しかも下方に向けて寸法が減少する部分を有していない。従って、金型によって端子台４０を樹脂成型する際には、所謂アンダーカット処理をする必要がなく、端子台４０を低コストで製造できる。
【符号の説明】
【００２５】
１    端子台
２    端子部
３，４    側壁
５    端子部カバー
６    端子
７    ネジ穴
８    角座金
９    ネジ
１０    中央隔壁
１１    奥側壁
２０    凸部
２１    第一台部
２２    第二台部
２３    端面支持部
３０，３１    支持面
３２    上端面
４０    端子台
４１，４２    側壁
４３，４４    台部
４５    凸部
５１    上端面
５２    隙間
５３    面
５４    隙間
１０１    外付けＢＯＸ
１０２    回路遮断器
１０３    操作スイッチ
【図１】
2017199528.tif 000003
【図２】
2017199528.tif 000004
【図３】
2017199528.tif 000005
【図４】
2017199528.tif 000006
【図５】
2017199528.tif 000007
【図６】
2017199528.tif 000008
【図７】
2017199528.tif 000009
【図８】
2017199528.tif 000010
【図９】
2017199528.tif 000011